(57)【要約】【課題】  切替手段等が不要であり、また、手入れも容易に行うことができて、浴槽水を良好に洗濯機に注水することができる浴槽排水栓を提供する。【解決手段】  浴槽底面２ａに開設された排水口Ｈと連通する排水路Ｒ１と、浴槽水を外部へ取り出す取水路Ｒ２を備えた浴槽排水栓３において、排水路Ｒ１は、密閉栓４の上下操作により開閉可能に構成されているとともに、取水路Ｒ２は、密閉栓４に設けられた通水孔４ｄを介し常時通水可能に構成されている。【選択図】        図５
2005076420.tif 000002
【特許請求の範囲】
【請求項１】
浴槽底面に開設された排水口と連通する排水路と、浴槽水を外部へ取り出す取水路を備えた浴槽排水栓において、前記排水路は、密閉栓の上下操作により開閉可能に構成されているとともに、前記取水路は、前記密閉栓に設けられた通水孔を介し常時通水可能に構成されていることを特徴とする浴槽排水栓。
【請求項２】
前記密閉栓は、前記排水口から取り外し可能に構成されていることを特徴とする請求項１に記載の浴槽排水栓。
【請求項３】
前記請求項１に記載の浴槽排水栓の取水路を洗濯機に接続したことを特徴とする浴槽排水栓を用いた洗濯注水システム。
【発明の詳細な説明】
【技術分野】
【０００１】
本発明は、浴槽の底面に設けられる浴槽排水栓、及び、この浴槽排水栓を用いた洗濯注水システムに関するものである。
【背景技術】
【０００２】
従来、浴槽排水栓に、浴槽水を利用するための取水経路を備えたものがある。
また、浴槽水を利用する取水経路を排水フランジなどに組み込んだものがある。
また、浴槽水を追焚循環口を介し洗濯機へ取水しているものが存在する。
【特許文献１】実開平５−９６１６９号公報
【特許文献２】実用新案登録第２５９０１５３号公報
【特許文献３】特開２００２−２７５９５７号公報
【発明の開示】
【発明が解決しようとする課題】
【０００３】
従来の浴槽排水栓に取水経路を備えたものにおいては、切替手段が必要であるという問題点があった。
また、取水経路が排水フランジに組み込まれたものにおいては、手入れする際に、浴槽から排水機構部を外す必要があり、手入れしにくいという問題点があった。
また、従来では、排水栓を利用して浴槽水を洗濯機に取水する洗濯注水システムは存在しないものであった。
【課題を解決するための手段】
【０００４】
本発明は上記従来の問題点に鑑み案出したものであって、切替手段が必要ではなく、また手入れも容易となり、良好に浴槽水を洗濯機に注水できる浴槽排水栓及び浴槽排水栓を用いた洗濯注水システムを提供せんとするものであり、請求項１では、浴槽底面に開設された排水口と連通する排水路と、浴槽水を外部へ取り出す取水路を備えた浴槽排水栓において、前記排水路は、密閉栓の上下操作により開閉可能に構成されているとともに、前記取水路は、前記密閉栓に設けられた通水孔を介し常時通水可能に構成されていることである。
また、請求項２では、前記密閉栓は、前記排水口から取り外し可能に構成されていることである。
また、洗濯注水システムにおいては、前記請求項１に記載の浴槽排水栓の取水路を洗濯機に接続したことである。
【発明の効果】
【０００５】
浴槽排水栓の排水路は、密閉栓の上下操作により開閉可能に構成され、浴槽排水栓の取水路は、密閉栓に設けられた通水孔を介し常時通水可能に構成されていることにより、取水路を常時通水状態にすることにより浴槽水を利用する時に弁の切替作業を行うことなく、例えば洗濯機側のポンプなどの操作のみによって浴槽水を良好に取水することが可能となる。
また、排水口（排水路）は密閉栓の操作により開閉させて良好に排水作業を行うことができる。
また、密閉栓に通水孔を設けて取水路を形成させたため、従来のように排水口フランジに取水経路を設けたものに比べて、フランジ部を縮小することができ、排水口の径も小さくすることができて、見栄え性の良いものとなる。
【０００６】
また、密閉栓は、排水口から取り外し可能に構成されていることにより、従来では、取水路が詰まった場合に排水装置を浴槽から取り外さなくてはならなかったが、密閉栓のみを取り外して手入れすることができるものとなり、手入れが容易なものとなる。
【０００７】
また、浴槽排水栓の取水路を洗濯機に接続して洗濯注水システムを構成したことにより、洗濯機に設けられているポンプを操作するのみで、弁の切替等を行うことなく良好に浴槽水を洗濯機に取水することができ、洗濯機内への浴槽水の注水が容易なものとなる。
【実施例】
【０００８】
以下、本発明の実施例を図面に基づいて説明する。
図１は、浴室に設けられた浴槽と、洗面室に設けられた洗濯機との接続状態を示す概略構成図である。
【０００９】
図において、浴室１内に設置されている浴槽２の底面２ａには、浴槽排水栓３が設けられており、この浴槽排水栓３は、上下操作可能な密閉栓４により開閉されるものである。
浴槽排水栓３は、排水管部５と取水管部６を備えており、この取水管部６には取水管路７が接続され、取水管路７の一部には、上方へ立ち上げて立上部７ａが形成され、洗濯機９と接続されて、洗面室８内に設けられた洗濯機９に浴槽２内の浴槽水を注水することができるように構成されている。
なお、取水管路７の立上部７ａの上端は、浴槽２内の浴槽水の上面よりも高い位置に配設されている。
【００１０】
図２は、浴槽排水栓３の斜視図を示し、また図３は、浴槽排水栓３の側面外観図を示す。
また図４では、浴槽排水栓３の縦断面斜視図を示しており、図５は、浴槽排水栓３の密閉栓４を開けた状態の縦断面構成図であり、また図６は、密閉栓４を閉じ始める状態の縦断面構成図である。
【００１１】
図において、浴槽の浴槽底面２ａには、上端がラッパ状をなした筒状のフランジ部１０が取り付けられて、フランジ部１０の内側が排水口Ｈを形成している。
このフランジ部１０の下端外周にはネジ部１０ａが形成されており、このネジ部１０ａに対し、浴槽底面２ａの下側から有底筒状の締結部材１１が螺合され、締結部材１１の上端の鍔部１１ａが浴槽底面２ａの下面に当接して、フランジ部１０が浴槽底面２ａに固定されている。
【００１２】
この締結部材１１の側面には、大径の排水管部５と、反対側に小径の取水管部６が突設されており、締結部材１１内の中央部には、底側から上方へ立ち上げて筒状のガイド筒部１２が形成され、このガイド筒部１２の下端に取水管部６の先端が連結されて、ガイド筒部１２の内側と取水管部６が連通されたものとなっている。
このガイド筒部１２の内側には、ワイヤー１４に連結されたメカボックス部１３が設けられている。
【００１３】
一方、排水口Ｈに上方側から着脱可能に差し込まれた密閉栓４は、傘状の頭部４ａの中央部から垂下状に垂下片４ｂが一体形成され、この垂下片４ｂの下端がメカボックス部１３内に挿入されて、ワイヤー１４を遠隔操作することで、ワイヤー１４，メカボックス部１３を介して密閉栓４を上下動させることができるように構成されている。
【００１４】
密閉栓の頭部４ａの下面側には、水平状に複数の通水孔４ｄ，４ｄ，４ｄが形成されて、その下方に連続して筒状の筒部４ｃが一体形成されており、筒部４ｃの下端側外周にはオーリング１５，１５が２段に設けられている。
このオーリング１５，１５がガイド筒部１２の内周に摺接して、ガイド筒部１２内に密閉栓４の筒部４ｃが上下動可能に挿着されている。
なお、この挿着状態で、筒部４ｃの内周とメカボックス部１３の外周間には隙間Ｓが形成されるように構成されている。
また、筒部４ｃの上端側には止水パッキン４ｅが設けられており、この止水パッキン４ｅが排水口Ｈに嵌め込まれた状態で、排水口Ｈが閉止されるものである。
【００１５】
浴槽排水栓３内には、排水口Ｈから、ガイド筒部１２及び筒部４ｃの外周を通り、排水管部５に至る排水路Ｒ１が形成されており、また、密閉栓の通水孔４ｄから、筒部４ｃの内側を通り、隙間Ｓを通って、取水管部６に至る取水路Ｒ２が内側に形成されている。
即ち、排水路Ｒ１は、ワイヤー１４，メカボックス部１３を介し遠隔操作して密閉栓４を上下動させ、排水口Ｈを開閉させることで、開閉させることができるものであり、図５のように、開けた状態では、浴槽２内の浴槽水を排水路Ｒ１を通し、排水管部５から大量に排水することができ、図６のように、密閉栓４で排水口Ｈを閉じることにより、浴槽２内に浴槽水を良好に溜めることができるものである。
【００１６】
一方、取水路Ｒ２は、密閉栓４の開閉状態に係わらず、通水孔４ｄが浴槽２内の浴槽水と常に連通した通水状態となっており、浴槽水は、通水孔４ｄから隙間Ｓを通り、取水管部６から取水管路７に至り常に通水可能状態となっているが、取水管路７には立上部７ａが形成されているため、浴槽２内の浴槽水が常に洗濯機９側へ注水されることはなく、浴槽水は立上部７ａ内で止まった状態となっている。
【００１７】
洗濯機９内で洗濯を行う際には、洗濯機９内に設けられている図示しないポンプを作動させることにより、洗濯機９内に浴槽水を注水させて、良好に浴槽水を洗濯機９内に取り入れることができるものであり、洗濯機９のポンプを作動させる操作のみで、別途、弁の切替作業等を行うことなく、良好に洗濯機９内に浴槽水を取り入れることができる。
【００１８】
また、浴槽水内のゴミ等で通水孔４ｄ等に詰まりが生じたような場合には、密閉栓４を上方へ引き上げて、ガイド筒部１２から取り外し、密閉栓４のみを単独で容易に取り外して手入れを行うことができ、従来のように、排水栓装置全体を浴槽から取り外す手間が掛からず、手入れが容易なものとなる。
【図面の簡単な説明】
【００１９】
【図１】浴槽の底側に設けられた浴槽排水栓と、洗面室内の洗濯機との接続状態を示す概略構成図である。
【図２】浴槽の底面に設けられた浴槽排水栓の外観斜視構成図である。
【図３】浴槽排水栓の側面外観構成図である。
【図４】浴槽排水栓の縦断面拡大斜視構成図である。
【図５】密閉栓が開いた状態の浴槽排水栓の縦断面拡大構成図である。
【図６】密閉栓が閉じ始めの状態の浴槽排水栓の縦断面拡大構成図である。
【符号の説明】
【００２０】
１  浴室
２  浴槽
２ａ  底面
３  浴槽排水栓
４  密閉栓
４ａ  頭部
４ｂ  垂下片
４ｃ  筒部
４ｄ  通水孔
４ｅ  止水パッキン
５  排水管部
６  取水管部
７  取水管路
７ａ  立上部
８  洗面室
９  洗濯機
１０  フランジ部
１０ａ  ネジ部
１１  締結部材
１１ａ  鍔部
１２  ガイド筒部
１３  メカボックス部
１４  ワイヤー
１５  オーリング
Ｒ１  排水路
Ｒ２  取水路
【図１】
2005076420.tif 000003
【図２】
2005076420.tif 000004
【図３】
2005076420.tif 000005
【図４】
2005076420.tif 000006
【図５】
2005076420.tif 000007
【図６】
2005076420.tif 000008